(57)【特許請求の範囲】
【請求項１】
炊飯器本体と、
前記炊飯器本体の上面を覆うものであって、前記炊飯器本体に取付けられた平面長方形状の外蓋と、前記外蓋を覆う金属製の平面長方形状のカバー体と、を有する蓋体と、を備え、
前記カバー体の一対の長辺側の外周端部には、前記外蓋の一対の長辺側の外周端部の貫通穴に挿入されて係止される係止爪部が形成されており、前記カバー体が前記外蓋に取付けられた状態において、前記係止爪部の外側には、前記外蓋の前記貫通穴の外側の貫通穴形成部が位置するとともに、
前記炊飯器本体内に収容される鍋と、
前記蓋体に配置されており、前記鍋内で発生した蒸気を前記炊飯器本体の外部に排出する蒸気筒とをさらに備え、
前記外蓋には、前記蒸気筒を収容する収納凹部と、前記収納凹部の底部の周囲から上方に向かって突出した突出壁と、前記突出壁と前記収納凹部の内側面との間には溝とが形成されており、
前記カバー体には、前記収納凹部に対応して配置された開口部と、前記開口部の開口端部に下向きに突出した突出部とが形成されており、
前記カバー体が前記外蓋に取付けられた状態において、前記カバー体の前記開口部の前記開口端部の前記突出部が、前記外蓋の前記溝内に挿入されて、前記突出部と前記蒸気筒の側面との間には、前記外蓋の前記突出壁が位置する一方、
前記開口部の開口端部のうち前記突出部が形成されていない部分を、端部カバーで覆う、炊飯器。
【請求項２】
前記各係止爪部は、前記外蓋の前記貫通穴を貫通するとともに、前記外蓋の前記貫通穴の内側の貫通穴形成部で回り込むように前記外周端部の内側に向けてＬ字状に屈曲した第１屈曲部を有している、請求項１に記載の炊飯器。
【請求項３】
前記各係止爪部は、前記外蓋の前記貫通穴を貫通するとともに、前記外蓋の前記貫通穴の内側の貫通穴形成部で回り込むように前記外周端部の内側に向けてＵ字状に屈曲した第２屈曲部を有している、請求項１に記載の炊飯器。
【請求項４】
前記一対の係止爪部は、前記カバー体の蒸気筒用貫通穴と操作パネル装着用貫通穴との間の支柱部の延長線上に配置されている、請求項１〜３のいずれか１つに記載の炊飯器。
【請求項５】
前記端部カバーは、前記外蓋と係合されている、請求項１〜４のいずれか１つに記載の炊飯器。
【発明の詳細な説明】
【技術分野】
【０００１】
本発明は、金属製のカバー体とカバー体で覆われる外蓋とを有する蓋体で、炊飯器本体の上面を覆う炊飯器に関する。
【背景技術】
【０００２】
従来技術においては、蓋体の外側を形成する非金属製の外蓋の外面側に金属板を装着した保温釜が提案されている（例えば、特許文献１参照。）。
【先行技術文献】
【特許文献】
【０００３】
【特許文献１】特開２００２−４４３号公報
【発明の概要】
【発明が解決しようとする課題】
【０００４】
しかしながら、前記構造のものでは、金属板の外周端部をカール状に内側に巻いて複数の凸部を形成し、各凸部を外蓋の凹部に挿入して仮固定したのち、外蓋の中央部付近において複数のボルトで金属板と外蓋とを固定する構成である。このような構成のため、外周端部では係合が弱く、上下方向での係合ができないため、熱膨張時に金属板が外蓋から外れやすいという課題があった。
【０００５】
従って、本発明の目的は、前記問題を解決することにあって、熱膨張時の外蓋に対する金属製のカバー体の膨らみを抑制できる炊飯器を提供することにある。
【課題を解決するための手段】
【０００６】
前記目的を達成するために、本発明は以下のように構成する。
【０００７】
本発明の第１態様によれば、炊飯器本体と、
前記炊飯器本体の上面を覆うものであって、前記炊飯器本体に取付けられた平面長方形状の外蓋と、前記外蓋を覆う金属製の平面長方形状のカバー体と、を有する蓋体と、を備え、
前記カバー体の一対の長辺側の外周端部には、前記外蓋の一対の長辺側の外周端部の貫通穴に挿入されて係止される係止爪部が形成されており、前記カバー体が前記外蓋に取付けられた状態において、前記係止爪部の外側には、前記外蓋の前記貫通穴の外側の貫通穴形成部が位置するとともに、
前記炊飯器本体内に収容される鍋と、
前記蓋体に配置されており、前記鍋内で発生した蒸気を前記炊飯器本体の外部に排出する蒸気筒とをさらに備え、
前記外蓋には、前記蒸気筒を収容する収納凹部と、前記収納凹部の底部の周囲から上方に向かって突出した突出壁と、前記突出壁と前記収納凹部の内側面との間には溝とが形成されており、
前記カバー体には、前記収納凹部に対応して配置された開口部と、前記開口部の開口端部に下向きに突出した突出部とが形成されており、
前記カバー体が前記外蓋に取付けられた状態において、前記カバー体の前記開口部の前記開口端部の前記突出部が、前記外蓋の前記溝内に挿入されて、前記突出部と前記蒸気筒の側面との間には、前記外蓋の前記突出壁が位置する一方、
前記開口部の開口端部のうち前記突出部が形成されていない部分を、端部カバーで覆う、炊飯器を提供する。
【発明の効果】
【０００８】
本発明の前記第１態様によれば、係止爪部に係止される貫通穴の外側の貫通穴形成部が金属製のカバー体より外側にあるため、熱膨張時の外蓋に対する金属製のカバー体の膨らみを貫通穴形成部で抑制することができる。よって、例えば、従来技術において凸部が形成できない様な急激な形状変化している箇所があったとしても、熱膨張時の外蓋に対する金属製のカバー体の膨らみを貫通穴形成部で抑制することができて、金属製のカバー体の外周端部を保護することができる。
【図面の簡単な説明】
【０００９】
【図１】本発明の実施形態にかかる炊飯器の分解斜視図である。
【図２】炊飯器の平面図である。
【図３】炊飯器のカバー体の平面図である。
【図４】炊飯器のカバー体の底面図である。
【図５】炊飯器のカバー体の左側面図である。
【図６】炊飯器の外蓋の平面図である。
【図７Ａ】図２の７Ａ−７Ａ線断面図である。
【図７Ｂ】図７Ａの矢印７Ｂ部分の拡大断面図であり、係止爪部を貫通穴に挿入した状態である。
【図７Ｃ】図７Ｂの係止爪部を貫通穴に挿入した状態以降においてＬ字状屈曲部を形成する状態の拡大断面図である。
【図７Ｄ】図７Ｂの係止爪部を貫通穴に挿入した状態以降においてＵ字状屈曲部を形成する状態の拡大断面図である。
【図８Ａ】図２の８Ａ−８Ａ線断面図である。
【図８Ｂ】図８Ａの矢印８Ｂ部分の拡大断面図である。
【図８Ｃ】図８Ａの矢印８Ｃ部分の拡大断面図である。
【図９Ａ】図２の９Ａ−９Ａ線断面図である。
【図９Ｂ】図９Ａの矢印９Ｂ部分の拡大断面図である。
【図９Ｃ】図９Ａの矢印９Ｃ部分の拡大断面図である。
【図９Ｄ】図９Ａの矢印９Ｄ部分の拡大断面図である。
【図１０Ａ】ヒンジ部付近の構成を示す一部切欠き断面を示す斜視図である。
【図１０Ｂ】ヒンジ部付近の構成を示す一部切欠き断面を示す斜視図である。
【発明を実施するための形態】
【００１０】
以下に、本発明にかかる実施の形態を図面に基づいて詳細に説明する。
【００１１】
以下、図面を参照して本発明における実施形態を詳細に説明する前に、本発明の種々の態様について説明する。
【００１２】
本発明の第１態様によれば、炊飯器本体と、
前記炊飯器本体の上面を覆うものであって、前記炊飯器本体に取付けられた平面長方形状の外蓋と、前記外蓋を覆う金属製の平面長方形状のカバー体と、を有する蓋体と、を備え、
前記カバー体の一対の長辺側の外周端部には、前記外蓋の一対の長辺側の外周端部の貫通穴に挿入されて係止される係止爪部が形成されており、前記カバー体が前記外蓋に取付けられた状態において、前記係止爪部の外側には、前記外蓋の前記貫通穴の外側の貫通穴形成部が位置する、炊飯器を提供する。
【００１３】
第１態様によれば、金属製のカバー体が膨らもうとしても、外蓋の貫通穴の貫通穴形成部で抑えることにより、カバー体の膨らみを抑制することができる。
【００１４】
本発明の第２態様によれば、前記各係止爪部は、前記外蓋の前記貫通穴を貫通するとともに、前記外蓋の前記貫通穴の内側の貫通穴形成部で回り込むように前記外周端部の内側に向けてＬ字状に屈曲した第１屈曲部を有している、第１態様に記載の炊飯器を提供する。
【００１５】
第２態様によれば、各係止爪部のＬ字状の第１屈曲部が前記外蓋の前記貫通穴の内側の貫通穴形成部に係合して、上方向への位置規制を行うことができ、熱膨張時の外蓋に対する金属製のカバー体の膨らみを抑制することができる。
【００１６】
本発明の第３態様によれば、前記各係止爪部は、前記外蓋の前記貫通穴を貫通するとともに、前記外蓋の前記貫通穴の内側の貫通穴形成部で回り込むように前記外周端部の内側に向けてＵ字状に屈曲した第２屈曲部を有している、第１態様に記載の炊飯器を提供する。
【００１７】
第３態様によれば、各係止爪部のＵ字状の第２屈曲部が前記外蓋の前記貫通穴の内側の貫通穴形成部に係合して、上方向及び内外方向の両方向への位置規制を行うことができ、より一層、熱膨張時の外蓋に対する金属製のカバー体の膨らみを抑制することができる。
【００１８】
本発明の第４態様によれば、前記一対の係止爪部は、前記カバー体の蒸気筒用貫通穴と操作パネル装着用貫通穴との間の支柱部の延長線上に配置されている、第１〜３のいずれか１つの態様に記載の炊飯器を提供する。
【００１９】
第４態様によれば、支柱部の延長線上の両端部で一対の係止爪部により、カバー体と外蓋とを係止しているため、平面長方形状のカバー体の長辺の中央部間を支柱部で、あたかも、Ｃ字状の締結バンドで、カバー体と外蓋とを締結するかのように係止している。この結果、金属製のカバー体が膨らもうとしても、カバー体の各係止爪部を外蓋の前記各貫通穴の貫通穴形成部で抑えることにより、外蓋に対するカバー体の膨らみを抑制することができる。
【００２０】
本発明の第５態様によれば、前記炊飯器本体内に収容される鍋と、
前記蓋体に配置されており、前記鍋内で発生した蒸気を前記炊飯器本体の外部に排出する蒸気筒とをさらに備え、
前記外蓋には、前記蒸気筒を収容する収納凹部と、前記収納凹部の底部の周囲から上方に向かって突出した突出壁と、前記突出壁と前記収納凹部の内側面との間には溝とが形成されており、
前記カバー体には、前記収納凹部に対応して配置された開口部と、前記開口部の開口端部に下向きに突出した突出部とが形成されており、
前記カバー体が前記外蓋に取付けられた状態において、前記カバー体の前記開口部の前記開口端部の前記突出部が、前記外蓋の前記溝内に挿入されて、前記突出部と前記蒸気筒の側面との間には、前記外蓋の前記突出壁が位置する、第１〜４のいずれか１つの態様に記載の炊飯器を提供する。
【００２１】
第５態様によれば、蒸気筒の側面と外蓋の突出壁とに接触し、金属製のカバー体の突出部の端縁には接触しないので、錆などの発生を防止することができる。
【００２２】
本発明の第６態様によれば、前記開口部の開口端部のうち前記突出部が形成されていない部分を、端部カバーで覆う、第５態様に記載の炊飯器を提供する。
【００２３】
第６態様によれば、蒸気筒付近の開口端部を別部材の端部カバーで覆うことで、蒸気が、突出部が形成されていない開口端部に当たることを防ぐことができる。
【００２４】
本発明の第７態様によれば、前記端部カバーは、前記外蓋と係合されている、第６態様に記載の炊飯器を提供する。
【００２５】
第７態様によれば、端部カバーで金属製のカバー体及び外蓋とを嵌め合わせることで、金属製のカバー体の浮きを防止することができる。
【００２６】
以下、図面を参照して本発明における実施形態を詳細に説明する。
【００２７】
図１は、本発明の実施形態にかかる炊飯器の分解斜視図である。図２は炊飯器の平面図である。図３〜図５は炊飯器のカバー体の平面図、底面図、左側面図である。図６は炊飯器の外蓋の平面図である。図７Ａは図２の７Ａ−７Ａ線断面図である。図７Ｂは図７Ａの矢印７Ｂ部分の拡大断面図であり、係止爪部３ｃを貫通穴２ｃに挿入した状態である。図７Ｃ及び図７Ｄは、図７Ｂの係止爪部３ｃを貫通穴２ｃに挿入した状態以降において屈曲部を形成する状態の拡大断面図である。図８Ａは図２の８Ａ−８Ａ線断面図である。図８Ｂ及び図８Ｃは図８Ａの矢印８Ｂ部分の拡大断面図及び図８Ａの矢印８Ｃ部分の拡大断面図である。図９Ａは図２の９Ａ−９Ａ線断面図である。図９Ｂ及び図９Ｃ及び図９Ｄは図９Ａの矢印９Ｂ部分の拡大断面図、図９Ａの矢印９Ｃ部分の拡大断面図、及び、図９Ａの矢印９Ｄ部分の拡大断面図である。図１０Ａ及び図１０Ｂはヒンジ部付近の構成を示す一部切欠き断面を示す斜視図である。
【００２８】
本発明の実施形態にかかる炊飯器は、図１〜図３に示すように、炊飯器本体１と、炊飯器本体１の上面を覆うものであって、炊飯器本体１に取付けられた外蓋２と、外蓋２を覆う金属製の平面長方形状のカバー体３とを有する蓋体４とを備えている。
【００２９】
外蓋２は、合成樹脂製、例えば、ポリプロピレンで構成されており、炊飯器本体１の上面を覆う平面長方形状の蓋部材である。外蓋２の一対の長辺側の外周端部２ａの中央部には、それぞれ、細長い長方形状の貫通穴２ｃが形成されているとともに、その一対の短辺側の外周端部２ｂの中央部には、それぞれ、係合凹部２ｄが形成されている。
【００３０】
カバー体３は、金属製、例えば、アルミニウムで構成されており、外蓋２の外面を覆う平面長方形状のカバー部材である。
【００３１】
図４と図９Ａと図９Ｂとに示すように、カバー体３の一対の短辺側の外周端部３ｂのそれぞれの中央部には、外蓋２の係合凹部２ｄと係合する横長の長方形帯状の係合部の一例としての差し込み部３ｄが形成されている。図９Ｂに示すように、カバー体３の各差し込み部３ｄは、外蓋２の各係合凹部２ｄに差し込まれて係合することにより、カバー体３の長辺方向沿いの移動を規制する。また、各係合凹部２ｄの外側の壁２ｈにより、各差し込み部３ｄの外方向への移動が規制されるので、熱膨張時の外蓋２に対する金属製のカバー体３の各差し込み部３ｄの膨らみを外側の壁２ｈで抑制することができる。
【００３２】
また、図４と図７Ａ〜図７Ｃとに示すように、カバー体３の一対の長辺側の外周端部３ａのそれぞれの中央部には、外蓋２の貫通穴２ｃに貫通して係止する縦長の長方形帯状の係止爪部３ｃが形成されている。図７Ｂに示すように、各係止爪部３ｃは各貫通穴２ｃ内に挿入される。このよう構成することにより、各貫通穴２ｃの外側には各貫通穴２ｃを形成する外側の壁（貫通穴形成部２ｋ）が位置しているため、カバー体３の外周側には外蓋２が位置していることになる。従って、熱膨張時の外蓋２に対する金属製のカバー体３の膨らみを、外蓋２で抑制することができる。
【００３３】
また、単に挿入するだけでなく、図７Ｃに示すように、各係止爪部３ｃが各貫通穴２ｃ内に挿入されたのち、外蓋２の貫通穴２ｃの内側の貫通穴形成部２ｊで回り込むように内向きに大略９０度だけ屈曲させることによりＬ字状に屈曲させてＬ字状屈曲部３ｍを形成して係止してもよい。このように構成すれば、各係止爪部３ｃのＬ字状屈曲部３ｍが外蓋２の貫通穴２ｃの内側の貫通穴形成部２ｊに係合して、上方向への位置規制を行うことができ、かつ、各貫通穴２ｃの外側の貫通穴形成部２ｋにより、各係止爪部３ｃの外方向への移動が規制されるので、熱膨張時の外蓋２に対する金属製のカバー体３の膨らみを抑制することができる。
【００３４】
Ｌ字状屈曲部３ｍの代わりに、図７Ｄに示すように、各係止爪部３ｃが各貫通穴２ｃ内に挿入されたのち、外蓋２の貫通穴２ｃの内側の貫通穴形成部２ｊで回り込んで挟み付けるように内向きに大略９０度ずつ２回屈曲させて、Ｕ字状に屈曲させたＵ字状屈曲部３ｊを形成して係止するようにしてもよい。このように構成すれば、各係止爪部３ｃのＵ字状屈曲部３ｊが外蓋２の貫通穴２ｃの内側の貫通穴形成部２ｊに係合して、上方向及び内外方向の両方向への位置規制を行うことができ、かつ、各貫通穴２ｃの外側の貫通穴形成部２ｋにより、各係止爪部３ｃの外方向への位置規制も行うことができる。従って、より一層、熱膨張時の外蓋２に対する金属製のカバー体３の膨らみを抑制することができる。
【００３５】
よって、カバー体３が外蓋２に取付けられて、各係止爪部３ｃが各貫通穴２ｃ内に挿入されて係止されるとともに、各差し込み部３ｄが各係合凹部２ｄに係合するとき、各係止爪部３ｃの外側には各貫通穴２ｃを形成する外側の貫通穴形成部２ｋが位置するとともに、各差し込み部３ｄの外側には各係合凹部２ｄを形成する外側の壁２ｈが位置しているため、カバー体３の外周側には外蓋２が位置していることになる。従って、熱膨張時の外蓋２に対する金属製のカバー体３の膨らみを、外蓋２で抑制することができる。
【００３６】
ここで、外蓋２に対してカバー体３を係止する一対の係止爪部３ｃの配置位置を、各長辺側の外周端部３ａの中央付近としているのは、以下の炊飯器特有の理由による。
【００３７】
本実施形態にかかる炊飯器は圧力形式の炊飯器であり、蓋体４の前側の短辺側のフック部２５と後側の短辺側のヒンジ部２６とで圧力に対抗できるように蓋体４と炊飯器本体１とを前後の短辺側の端部で締め付けるため、一対の長辺側の外周端部３ａに応力が作用しやすい傾向がある。また、後述するように、炊飯器本体１の鍋２１からの蒸気の通り道である蒸気筒２２がカバー体３の中央付近に配置されており、炊飯時に鍋２１の蒸気圧で外蓋２及びカバー体３の中央付近に大きな応力が作用するとともに、カバー体３の中央付近から高温の蒸気の熱が伝導し始めることになる。これらの理由のため、カバー体３の操作パネル配置用貫通穴３ｆと蒸気筒配置用貫通穴３ｅとの間の支柱部３ｈの長手方向の延長線上の位置の近傍で、外蓋２及びカバー体３を上方向及び外側方向に対してしっかりと締結する必要がある。言い換えれば、長方形状の平面形状のカバー体３において、一対の長辺側の外周端部３ａの中央付近での変形量が炊飯時に急激に大きくなる傾向がある。さらに、炊飯器本体１に対して蓋体４を開けるとき、ヒンジ部２６に設けたバネ２７の大きなバネ力で蓋体４を勢いよく開けて、蓋体４の開閉停止位置で蓋体４を急に停止させているため、蓋体４に大きな遠心力が急激に作用する。このとき、材料が異なる外蓋２とカバー体３とで蓋体４を構成する場合、両者に作用する遠心力が異なるため、外蓋２とカバー体３とは、分離しないように、互いにしっかりと締結しておく必要がある。
【００３８】
これらの理由により、支柱部３ｈの延長線上の両端部に係止爪部３ｃをそれぞれ備えて、少なくとも一対の長辺側の外周端部３ａの中央付近で外蓋２とカバー体３とを、言わば、Ｃ字状（図７Ａ参照）の太い締結バンドで止め付けるように、互いに一体的に係止固定する必要がある。
【００３９】
前記した構成は、カバー体３の外周端部と外蓋２との関係について説明しているが、カバー体３の内周端部、すなわち、開口部の一例としての蒸気排出用開口２３の内周端部と外蓋２との関係についても、以下のように構成している。
【００４０】
まず、炊飯器本体１は鍋２１を備えるとともに、蓋体４は蒸気筒２２を備えている。
【００４１】
鍋２１は、炊飯器本体１内に収容されている。
【００４２】
蒸気筒２２は、蓋体４に配置されており、鍋２１内で発生した蒸気を炊飯器本体１の外部に排出する。蓋体４の外蓋２の中央部からヒンジ側にかけて蒸気筒収納凹部２ｅが形成されており、その蒸気筒収納凹部２ｅの中央部側の鍋２１の上方の位置には、蒸気排出用開口２３が開口している。蒸気排出用開口２３は、蒸気筒収納凹部２ｅに着脱可能にはめ込まれる蒸気筒２２に連通して、鍋２１で発生した蒸気を、蒸気排出用開口２３から蒸気筒２２を介して炊飯器本体１の外部に排出できるようにしている。蒸気筒収納凹部２ｅに隣接して、外蓋２の中央部からヒンジ側とは反対側にかけて操作パネル収納凹部２ｆが形成されており、その操作パネル収納凹部２ｆ内に操作パネル２４がはめ込まれて固定される。
【００４３】
この蒸気筒収納凹部２ｅには、図８Ａ及び図８Ｃに示すように、蒸気筒収納凹部２ｅの底部の周囲から上方に向かって突出した突出壁２ｎが形成されている。さらに、突出壁２ｎと蒸気筒収納凹部２ｅの内側面との間には、長方形枠状の溝２ｐが形成されている。
【００４４】
一方、カバー体３には、蒸気筒収納凹部２ｅに臨む開口部の一例としての蒸気筒用貫通穴３ｅが形成されており、その蒸気筒用貫通穴３ｅの開口端部には、下向きに折り曲げられて突出して溝２ｐに挿入可能な突出部３ｐが形成されている。突出部３ｐは、開口端部の全周に形成するのが好ましいが、一例としては、後述する切欠き部３ｓを除く蒸気筒用貫通穴３ｅの開口端部に形成している。
【００４５】
よって、図８Ａ及び図８Ｃに示すように、カバー体３が外蓋２に取付けられた状態において、カバー体３の蒸気筒用貫通穴３ｅの開口端部の突出部３ｐが、外蓋２の溝２ｐ内に挿入されて、突出部３ｐと蒸気筒２２との間には、外蓋２の突出壁２ｎが位置する。このため、蒸気筒２２に入った蒸気は、蒸気筒２２の排出口２２ａ（図１及び図２を参照）から主として排出される他、蒸気筒２２の側面と外蓋２の突出壁２ｎとの間を通過して外部に排出される。このとき、蒸気は、主として、蒸気筒２２の側面と外蓋２の突出壁２ｎとに接触し、金属製のカバー体３の突出部３ｐの端縁には接触しないので、錆などの発生を防止することができる。
【００４６】
ここで、蒸気筒２２は、頻繁に洗う必要があり、蒸気筒２２がはめ込まれる外蓋２の蒸気筒収納凹部２ｅ内には、ユーザの手が頻繁に入ることになる。このため、金属製のカバー体３の端縁を蒸気筒収納凹部２ｅ内に露出しないようにして、ユーザの怪我を防止したいという要望がある。また、カバー体３の端縁を蒸気通路に露出させないようにして、錆の発生を防止したいという要望もある。さらに、カバー体３の端縁を蒸気通路に露出させないようにするため、折り曲げ加工することも考えられるが、ヒンジ部２６が蒸気筒収納凹部２ｅに隣接して配置されているため、端縁を折り曲げ加工することができないといった課題もある。
【００４７】
そこで、蒸気筒２２が収納される外蓋２の蒸気筒収納凹部２ｅ内において金属製のカバー体３の端縁が直接露出しないようにするため、蒸気筒収納凹部２ｅの底部の周囲に突出壁２ｎが形成されて、突出壁２ｎと蒸気筒収納凹部２ｅの内側面との間に、長方形枠状の溝２ｐが形成されている。このように構成することで、金属製のカバー体３の突出部３ｐの端縁を外蓋２の溝２ｐ内に差し込んで、カバー体３の突出部３ｐの端縁を外蓋２の突出壁２ｎで覆うようにすることができる。このような構成にすれば、突出壁２ｎと蒸気筒収納凹部２ｅの内側面とで蒸気流路を囲むことができ、かつ、外蓋２の蒸気筒収納凹部２ｅ内に対しては、カバー体３の端部の突出部３ｐの端縁が突出壁２ｎで覆われているため、ユーザの手がカバー体３の端部の突出部３ｐの端縁に接触することが無い。また、突出部３ｐを溝２ｐに差し込むだけで、折り曲げ加工する必要もない。なお、突出部３ｐの端縁が蒸気に曝されないためには、突出壁２ｎの高さとして、金属製のカバー体３の端部が覆われる高さがあれば十分である。また、蒸気筒２２の外周壁２２ａの先端が、突出壁２ｎの先端より上方に配置されている。このように構成する効果として、金属製のカバー体３の端部を保護する突出壁２ｎの上部に蒸気筒２２の外周壁２２ａが存在することで、外蓋２の上部から見た際に、突出壁２ｎの先端が外周部２２ａに隠れて、外観品位の向上を図ることができる。
【００４８】
なお、カバー体３の外側の側面３ｇは、外蓋２の外側の側面２ｇと同一面か、又は、外蓋２の外側の側面２ｇよりも外側に突出するように形成している（図７Ｂ〜図７Ｄ、図８Ｂ、図９Ｂなどを参照）。このため、上から平面的に炊飯器を見たとき、外蓋２は見えずに、外蓋２を覆った金属製のカバー体３しか見えないようにして、デザイン性を向上させている。
【００４９】
前記実施形態によれば、カバー体３の係止爪部３ｃに係止される外蓋２の貫通穴２ｃの外側の貫通穴形成部２ｋ及び差し込み部３ｄに係合される係合凹部２ｄの外側の壁２ｈが金属製のカバー体３より外側にあるため、熱膨張時の外蓋２に対する金属製のカバー体３の膨らみを、外側の貫通穴形成部２ｋ及び外側の壁２ｈで抑制することができる。従って、熱膨張時の外蓋２に対する金属製のカバー体３の膨らみを抑制することができる。よって、例えば、従来技術において凸部が形成できない様な急激な形状変化している箇所があったとしても、熱膨張時の外蓋２に対する金属製のカバー体３の膨らみを貫通穴形成部２ｋで抑制することができて、金属製のカバー体３の外周端部を保護することができる。
【００５０】
また、金属製のカバー体３の外側の側面３ｇが合成樹脂製の外蓋２の外側の側面２ｇよりも外側に配置するため、外観の品位を向上させることができる。
【００５１】
なお、本発明は前記実施形態に限定されるものではなく、その他種々の態様で実施できる。
【００５２】
例えば、前記実施形態の第１変形例として、係合凹部２ｄと差し込み部３ｄとを２個配置するのでは無く、１個ずつ配置するようにしてもよい。すなわち、係合凹部２ｄと差し込み部３ｄとは、一例として、一対の短辺側の外周端部２ｂの中央部とカバー体３の一対の短辺側の外周端部３ｂの中央部とにそれぞれ形成しているが、一対の短辺のうちの一方の短辺側であるヒンジ部２６では、ヒンジ部２６自体の構成により外蓋２とカバー体３とを連結するようにして、係合凹部２ｄ及び差し込み部３ｄの配置を省略するようにしてもよい。従って、この例の場合には、ヒンジ部２６とは反対側の短辺側の外周端部２ｂの中央部と外周端部３ｂの中央部とに、１個の係合凹部２ｄと１個の差し込み部３ｄとが配置されていることになる。
【００５３】
また、前記実施形態の第２変形例として、以下のように構成してもよい。すなちわ、カバー体３の蒸気筒用貫通穴３ｅの周囲のヒンジ部２６の近傍では、突出部３ｐが形成されておらず、カバー体３が外蓋２と嵌合されていない部分がある。この部分を、別の部材にて嵌合するようにしてもよい。具体的には、図２〜図４、図６、図１０Ａ及び図１０Ｂなどに示すように、カバー体３の蒸気筒用貫通穴３ｅの周囲のヒンジ部２６の近傍には、平面半円形状の切欠き部３ｓと細幅部３ｒとが形成されている。この細幅部３ｒは、ヒンジ部２６の近傍であり、かつ、細幅であるため、端部に突出部３ｐを立体的に形成することができない。そこで、この細幅部３ｒは、外蓋２の対応する位置に形成したＪ字状の細幅支持部２ｒで下側から抱き持ちするとともに、外蓋２及びカバー体３とは別の部材である平面半円形状の端部カバー２９で切欠き部３ｓと細幅部３ｒとを覆うように配置している。端部カバー２９は、断面Ｌ字状の湾曲した円弧状の鍔部２９ｂを有し、この鍔部２９ｂを細幅部３ｒに上から被せて、細幅部３ｒを上から包み込むようにしている。端部カバー２９の蒸気筒用貫通穴３ｅ側の端縁の裏面には、蒸気筒収納凹部２ｅのヒンジ側の端部の係合凹部２ｅａと係合可能な係合凸部２９ａを有している。このように構成する結果、細幅部３ｒの上下の端縁は、細幅支持部２ｒと鍔部２９ｂとで包み込まれて、蒸気が細幅部３ｒの端縁に接触しないようにしている。
【００５４】
従って、蒸気筒２２付近の開口端部を別部材の端部カバー２９で覆うとともに、外蓋２と係合することで、蒸気が、突出部３ｐが形成されていない開口端部に当たることを防ぐことができ、また端部カバー２９で金属製のカバー体３及び外蓋２とを嵌め合わせることで、金属製のカバー体３の細幅部３ｒの浮きを防止することができる。
【００５５】
なお、前記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【００５６】
本発明にかかる炊飯器は、熱膨張時の外蓋に対する金属製のカバー体の膨らみを抑制することができて、家庭用又は業務用の炊飯器として有用である。
【符号の説明】
【００５７】
１  炊飯器本体
２  外蓋
２ａ  長辺側の外周端部
２ｂ  短辺側の外周端部
２ｃ  貫通穴
２ｄ  係合凹部
２ｅ  蒸気筒収納凹部
２ｅａ  係合凹部
２ｆ  操作パネル収納凹部
２ｇ  外側の側面
２ｈ  外側の壁
２ｎ  突出壁
２ｐ  溝
２ｒ  支持部
３  カバー体
３ａ  長辺側の外周端部
３ｂ  短辺側の外周端部
３ｃ  係止爪部
３ｄ  差し込み部（係合部の一例）
３ｅ  蒸気筒用貫通穴
３ｆ  操作パネル用貫通穴
３ｇ  外側の側面
３ｈ  支柱部
３ｊ  Ｕ字状屈曲部
３ｍ  Ｌ字状屈曲部
３ｐ  突出部
３ｒ  細幅部
３ｓ  切欠き部
４  蓋体
２１  鍋
２２  蒸気筒
２２ａ  蒸気筒の外周壁
２３  蒸気排出用開口
２４  操作パネル
２５  フック部
２６  ヒンジ部
２７  バネ
２９  端部カバー
２９ａ  係合凸部
【図１】
0006660623.tif 000002
【図２】
0006660623.tif 000003
【図３】
0006660623.tif 000004
【図４】
0006660623.tif 000005
【図５】
0006660623.tif 000006
【図６】
0006660623.tif 000007
【図７Ａ】
0006660623.tif 000008
【図７Ｂ】
0006660623.tif 000009
【図７Ｃ】
0006660623.tif 000010
【図７Ｄ】
0006660623.tif 000011
【図８Ａ】
0006660623.tif 000012
【図８Ｂ】
0006660623.tif 000013
【図８Ｃ】
0006660623.tif 000014
【図９Ａ】
0006660623.tif 000015
【図９Ｂ】
0006660623.tif 000016
【図９Ｃ】
0006660623.tif 000017
【図９Ｄ】
0006660623.tif 000018
【図１０Ａ】
0006660623.tif 000019
【図１０Ｂ】
0006660623.tif 000020